(57)【特許請求の範囲】
【請求項１】
複数の診療ステータスの各々に診療ステータスを表現する文字列を関連付けて記憶するステータス記憶部と、
対象検査に関する検査情報から前記ステータス記憶部に記憶されている文字列を抽出する抽出部と、
前記抽出された文字列に前記ステータス記憶部上で関連付けられた診療ステータスを特定するステータス特定部と、
前記対象検査の検査識別子と前記特定された診療ステータスとを関連付けて記憶する検査情報記憶部と、
を具備する医療情報システム。
【請求項２】
疾患名記憶部と疾患名特定部とをさらに備え、
前記疾患名記憶部は、複数の疾患名の各々に疾患名を表現する文字列を関連付けて記憶し、
前記抽出部は、前記対象検査に関する検査情報から前記対象検査に関する第１の疾患名を表現する第１の疾患名文字列を抽出し、
前記疾患名特定部は、前記抽出された第１の疾患名文字列に前記疾患名記憶部上で関連付けられた疾患名を特定し、
前記検査情報記憶部は、前記対象検査の検査識別子と前記特定された診療ステータスとに前記特定された疾患名を関連付けて記憶する、
請求項１記載の医療情報システム。
【請求項３】
判定部をさらに備え、
前記抽出部は、他の検査に関する検査情報から前記他の検査に関する第２の疾患名を表現する第２の疾患名文字列を抽出し、
前記判定部は、前記第１の疾患名文字列と前記第２の疾患名文字列とに従って、前記他の検査が前記対象検査に医学的に関連している関連検査であるか否かを判定し、
前記検査情報記憶部は、前記判定部により前記他の検査が前記関連検査であると判定された場合、前記対象検査の検査識別子と前記診療ステータスとにさらに前記関連検査の検査識別子を関連付ける、
請求項２記載の医療情報システム。
【請求項４】
少なくとも前記対象検査のアイコンと前記関連検査のアイコンとが診療ステータスに従って配列された検査マップを生成する検査マップ生成部をさらに備える請求項３記載の医療情報システム。
【請求項５】
前記生成された検査マップを表示する表示部をさらに備える請求項４記載の医療情報システム。
【請求項６】
前記表示部は、前記生成された検査マップを前記対象検査と前記関連検査との間の検査関連性を認識可能に表示する、請求項５記載の医療情報システム。
【請求項７】
前記検査マップは、前記対象検査のアイコンと前記関連検査のアイコンとを結ぶ線を有する、請求項６記載の医療情報システム。
【請求項８】
前記検査マップは、前記対象検査のアイコンと前記関連検査のアイコンと他の検査のアイコンとを含み、
前記表示部は、前記対象検査のアイコンと前記関連検査のアイコンとを、前記他の検査のアイコンと視覚的に区別して表示する、
請求項６記載の医療情報システム。
【請求項９】
前記対象検査のアイコンと前記関連検査のアイコンとは、さらに医用画像撮像装置の種類別または疾病名別に前記検査マップにおいて配列される、請求項５記載の医療情報システム。
【請求項１０】
複数の表示レイアウトの各々に診療ステータスと表示情報の種類との組合せを関連付けて記憶するレイアウト記憶部と、
前記対象検査に関する診療ステータスと前記対象検査に関する検査情報の種類との組合せに前記レイアウト記憶部上で関連付けられた表示レイアウトを特定するレイアウト特定部と、
前記特定された表示レイアウトで前記対象検査に関する検査情報を表示する表示部と、  さらに備える請求項１記載の医療情報システム。
【請求項１１】
前記表示レイアウトは、表示情報の表示位置に関し、前記表示位置は、表示画面又は表示アプリケーションウィンドウ上の絶対位置又は他の表示情報からの相対位置により規定される、請求項１０記載の医療情報システム。
【請求項１２】
複数の検査の各々について診療ステータスと疾患名に基づく検査関連性とを関連付けて記憶する記憶部と、
前記複数の検査から表示対象の複数の検査を指定する指定部と、
前記指定された複数の検査に関する複数の検査アイコンが診療ステータスに従って配列された検査マップを生成する生成部と、
前記生成された検査マップを、前記指定された複数の検査間の検査関連性を認識可能に表示する表示部と、
を具備する医療情報システム。
【請求項１３】
前記検査マップは、前記複数の検査アイコンのうちの、前記検査関連性を有する複数の検査にそれぞれ対応する複数の検査アイコンを前記検査関連性に従って結ぶ線を有する、請求項１２記載の医療情報システム。
【請求項１４】
前記表示部は、前記複数の検査アイコンのうちの、前記検査関連性を有する複数の検査にそれぞれ対応する複数の検査アイコンを他の検査アイコンとは視覚的に区別して表示する、請求項１２記載の医療情報システム。
【請求項１５】
複数の検査の各々について診療ステータスと疾患名に基づく検査関連性とを関連付けて記憶する記憶部と、
前記複数の検査から表示対象の複数の検査を指定する指定部と、
前記指定された複数の検査に関する複数の検査アイコンが診療ステータスに従って配列された検査マップを生成する生成部と、
前記生成された検査マップを、前記指定された複数の検査間の検査関連性を認識可能に表示する表示部と、
を具備する医療情報表示装置。
【発明の詳細な説明】
【技術分野】
【０００１】
本発明の実施形態は、医療情報システム及び医療情報表示装置に関する。
【背景技術】
【０００２】
患者の検査、検査画像、検査画像に対する医学的所見の報告書（読影レポート）等の検査情報は、検査日や患者ＩＤ（患者識別子）、医用画像撮影装置の種類等によって管理されている。従って、検査における診療ステータスや検査の関連性は、不明である。
【０００３】
例えば、治療前後の検査画像を比較読影する場合、単純に基準の検査から前回、前々回と自動検索して表示しても、それらが治療前後の検査画像か否かは不明である。また、検査一覧に表示される内容は、一般的に、管理されている情報の順序（検査日や患者ＩＤ、医用画像撮影装置の種類等の順序）となるため、検査間の関連性（例えば、検査Ａは検査Ｂのフォローアップ、検査Ｃは検査Ａと検査Ｂとは関係ない等）は不明である。従って医師は電子カルテ等を参照したり、過去の読影レポートを読み返したりして、診療ステータスや検査の関連性を把握している。
【先行技術文献】
【特許文献】
【０００４】
【特許文献１】特開２００７−１６７６３４号公報
【特許文献２】特開２００９−１９３１５７号公報
【発明の概要】
【発明が解決しようとする課題】
【０００５】
実施形態の目的は、検査の診療ステータスを容易に把握可能な医療情報システム及び医療情報表示装置を提供することにある。
【課題を解決するための手段】
【０００６】
本実施形態に係る医療情報システムは、医療情報システムは、複数の診療ステータスの各々に診療ステータスを表現する文字列を関連付けて記憶するステータス記憶部と、対象検査に関する検査情報から前記ステータス記憶部に記憶されている文字列を抽出する抽出部と、前記抽出された文字列に前記ステータス記憶部上で関連付けられた診療ステータスを特定するステータス特定部と、前記対象検査の検査識別子と前記特定された診療ステータスとを関連付けて記憶する検査情報記憶部と、を具備する。
【図面の簡単な説明】
【０００７】
【図１】本実施形態に係る医療情報システムの構成を示す図。
【図２】本実施形態の実施例１に係る医療情報システムの機能ブロック図。
【図３】図２の検査情報記憶部に記憶されている初期テーブルの一例を示す図。
【図４】図２のステータス／文字列記憶部に保持されているステータス／文字列テーブルの一例を示す図。
【図５】図２の制御部により行われる検査情報テーブル生成のための情報処理の典型的な流れを示す図。
【図６】図５のステップＳＡ３及びＳＡ４の処理を説明するための図であり、３つの検査に関する検査情報の一例を示す図。
【図７】図５のステップＳＡ５において検査情報テーブル生成部により生成される、検査情報テーブルの一例を示す図。
【図８】本実施形態の２実施例に係る医療情報システムの機能ブロック図。
【図９】図８の疾患名／文字列記憶部に保持されている疾患名／文字列テーブルの一例を示す図。
【図１０】図８の関連性ファイル記憶部に記憶されている、ＸＭＬ形式で記述された関連性ファイルの一例を示す図。
【図１１】図８の関連性ファイル記憶部に記憶されている、ＲＤＢ形式で記述された関連性ファイルの一例を示す図。
【図１２】図８の制御部の制御により行われる、検査情報テーブル生成のための情報処理の典型的な流れを示す図。
【図１３】図１２のステップＳＢ５の処理を説明するための図であり、３つの検査に関する検査情報の一例を示す図。
【図１４】図１２のステップＳＢ６において生成される、実施例２に係る検査情報テーブルの一例を示す図。
【図１５】本実施形態の実施例３に係る医療情報システムの機能ブロック図。
【図１６】図１５のレイアウトテーブル記憶部に保持される、絶対位置により表示位置が規定されるレイアウトテーブルの一例を示す図。
【図１７】図１５のレイアウトテーブル記憶部に保持される、相対位置により表示位置が規定されるレイアウトテーブルの一例を示す図。
【図１８】図１５の検査マップ生成部により生成される検査マップの一表示例を示す図。
【図１９】図１５の検査マップ生成部により生成される検査マップの他の表示例を示す図。
【図２０】図１５の検査マップ生成部により生成される検査マップの他の表示例を示す図。
【図２１】図２０の検査マップにおける検査アイコンの表示例を示す図。
【図２２】図１５のレイアウト特定部により特定される表示レイアウトの一例を示す図。
【発明を実施するための形態】
【０００８】
以下、図面を参照しながら本実施形態に係わる医療情報システム及び医療情報表示装置を説明する。
【０００９】
図１は、本実施形態に係る医療情報システム１の構成を示す図である。図１に示すように、本実施形態に係る医療情報システム１は、互いにネットワークを介して接続されたサーバ装置１００、クライアント装置（医療情報表示装置）２００、電子カルテシステム３００、医用画像撮影装置４００を有している。各装置間の画像通信としては、医用画像の標準規格であるＤＩＣＯＭ規格等、既成の如何なる規格を利用してもよい。なお、情報通信としては、典型的には、業界標準規格のＴＣＰ／ＩＰ（transmission control protocol / internet protocol）通信が採用される。情報は、ネットワークを介してパケット単位（転送する情報の基本単位）で送受信される。
【００１０】
電子カルテシステム３００は、医用画像撮影装置４００やサーバ装置１００に検査依頼情報（患者ＩＤ、検査日、検査名、検査部位、検査コメント等）を送信する。医用画像撮影装置４００は、電子カルテシステム３００からの検査依頼情報に従って、患者の検査画像を撮影する。撮影された検査画像は、サーバ装置１００に送信される。医用画像撮影装置４００としては、Ｘ線診断装置、Ｘ線コンピュータ断層撮影装置、磁気共鳴イメージング装置、超音波診断装置、核医学診断装置等のあらゆる医用画像撮影装置４００が適宜利用可能である。クライアント装置２００は、各種の情報を表示したり入力したりするコンピュータ端末である。クライアント装置２００に入力された情報は、サーバ装置１００に送信される。また、サーバ装置１００から情報は、クライアント装置２００に表示される。また、クライアント装置２００は、検査画像に対する医学的な所見報告書（読影レポート）を作成する機能を有する。読影レポートは、サーバ装置１００に送信される。通常、医療情報システム１には、複数のクライアント装置２００が接続されている。サーバ装置１００は、電子カルテシステム３００からの検査依頼情報と、医用画像撮影装置４００からの検査画像と、読影レポートとを関連付けて保管する。
【００１１】
（実施例１）
図２は、実施例１に係る医療情報システム１の機能ブロック図である。図２に示すように、実施例１に係る医療情報システム１は、検査情報記憶部１１、検査情報抽出部１３、ステータス／文字列記憶部１５、文字抽出部１７、ステータス特定部１９、テーブル生成部２１、操作部２３、表示部２５、及び制御部２７を有する。
【００１２】
検査情報記憶部１１は、検査情報を記憶する。検査情報は、検査画像、検査依頼情報、及び読影レポートを含む。また、検査情報は、内視鏡レポートや超音波レポートでもよい。検査情報には、患者ＩＤ、検査日、検査ＩＤ、シリーズＩＤ、画像ＩＤ、レポートＩＤ等の付帯情報が関連付けられている。検査情報記憶部１１は、処理対象の検査に関する検査情報の検索を容易にするため、テーブル（以下、初期テーブルと呼ぶ）を保存している。以下、処理対象の検査を対象検査と呼ぶことにする。
【００１３】
図３は、初期テーブルの一例を示す図である。図３に示すように、初期テーブルは、検査ＩＤ、患者ＩＤ、レポートＩＤ、検査日、画像ＩＤ、モダリティ（医用画像撮影装置の種類）等の項目を有する。検査ＩＤは、検査の識別子である。患者ＩＤは、患者の識別子である。レポートＩＤは、読影レポートの識別子である。検査日は、検査が実施された日である。画像ＩＤは、検査画像の識別子である。モダリティは、検査に利用された医用画像撮影装置の種類である。また、初期テーブルは、検査ＩＤに、検査画像の格納先、読影レポートの格納先、及び検査依頼情報の格納先等を関連付けている。
【００１４】
検査情報抽出部１３は、初期テーブルや後述の検査情報テーブルを利用して対象検査に関する検査情報を検査情報記憶部１１から抽出する。
【００１５】
ステータス／文字列記憶部１５は、複数の診療ステータスの各々に診療ステータスを表現する文字列を関連付けて記憶している。診療ステータスを表現する文字列と診療ステータスとは、テーブル（ＬＵＴ：look up table）において関連付けられている。以下、このテーブルをステータス／文字列テーブルと呼ぶことにする。ステータス／文字列テーブルは、ステータス／文字列記憶部１５に保持されている。
【００１６】
図４は、ステータス／文字列テーブルの一例を示す図である。図４に示すように、ステータス／文字列テーブルは、文字列ＩＤ、文字列、及び診療ステータスの項目を有している。診療ステータスは、診療の初回から終了までの全診療過程における診療の一段階を示している。診療ステータスとしては、例えば、初回、紹介、治療前、経過観察、治療後等がある。文字列は、診療ステータスを表現する文字列である。診療ステータス「初回」に対応する文字列としては、例えば、「初回」や「はじめて」がある。診療ステータス「紹介」に対応する文字列としては、例えば、「紹介」がある。診療ステータス「治療前」に対応する文字列としては、例えば、「鑑別診断」がある。診療ステータス「経過観察」に対応する文字列としては、例えば、「フォローアップ」がある。診療ステータス「治療後」に対応する文字列としては、例えば、「治療後」がある。文字列ＩＤは、互いに関連する文字列と診療ステータスとのセットに割り振られたＩＤである。
【００１７】
文字抽出部１７は、検査情報（読影レポート又は電子カルテ）から診療ステータスを表現する文字列を抽出する。抽出される文字列の候補は、ステータス／文字列テーブルの文字列項目に登録されている文字列である。なお、文字列の抽出箇所は、読影レポート又は電子カルテ内の全ての記入欄を対象としても良い。すなわち、抽出対象は、読影レポート又は電子カルテ内のステータス記入欄に記載された文字列に限らず、コメント記入欄等に記載者により自由に記載された文字列をも含む。
【００１８】
ステータス特定部１９は、文字抽出部１７により抽出された文字列にステータス／文字列テーブル上で関連付けられた診療ステータスを特定する。
【００１９】
テーブル生成部２１は、対象検査の検査ＩＤとステータス特定部１９により特定された診療ステータスとを関連付けた検査情報テーブルを生成する。生成された検査情報テーブルは、例えば、検査情報記憶部１１に記憶される。なお、検査情報テーブルの項目は、検査ＩＤと診療ステータスとに限定されない。例えば、初期テーブルに含まれる患者ＩＤ、検査日、検査ＩＤ、シリーズＩＤ、画像ＩＤ、レポートＩＤ等の付帯情報の項目が検査情報テーブルに含まれても良い。
【００２０】
表示部２３は、検査画像、読影レポート、電子カルテ等の検査情報や検査情報テーブル、初期テーブルの内容を表示機器に表示する。表示機器としては、例えばＣＲＴディスプレイや、液晶ディスプレイ、有機ＥＬディスプレイ、プラズマディスプレイ等が適宜利用可能である。
【００２１】
操作部２５は、入力機器を介したユーザからの各種指示を受け付ける。例えば、ユーザにより対象検査が指定される。入力機器としては、マウスやトラックボールなどのポインティングデバイス、モード切替スイッチ等の選択デバイス、あるいはキーボード等の入力デバイスが適宜利用可能である。
【００２２】
制御部２７は、医療情報システム１の中枢として機能する。制御部２７は、検査情報テーブル生成のための情報処理プログラムをメモリに記憶している。制御部２７は、操作部２３を介した開始指示を受けて情報処理プログラムを読み出し、読み出された情報処理プログラムに従って各部を制御し、検査情報テーブル生成のための各種処理を実行させる。
【００２３】
例えば、検査情報記憶部１１、検査情報抽出部１３、ステータス／文字列記憶部１５、文字抽出部１７、ステータス特定部１９、テーブル生成部２１、及び制御部２７は、サーバ装置１００に実装される。操作部２３と表示部２５とは、クライアント装置２００に実装される。なお本実施形態において各部の物理的な配置はこれに限定されない。例えば、サーバ装置１００に実装される各部を電子カルテシステム３００や医用画像撮影装置４００に実装させてもよい。また、サーバ装置１００に実装される各部をソフトウェアとしてクライアント装置２００（コンピュータ端末）に組み込むことによって、スタンドアローン形式としてもよい。コンピュータ端末に大きな負荷がかかる場合、検査情報抽出部１３や文字抽出部１７、ステータス特定部１９等を他の装置に実装させ、独立して運用させてもよい。
【００２４】
以下に実施例１に係る医療情報システムの動作例について説明する。図５は、制御部２７の制御により行われる、検査情報テーブル生成のための情報処理の典型的な流れを示す図である。図５に示すように、制御部２７は、対象検査が選択されることを待機している（ステップＳＡ１）。典型的には、読影レポートがサーバ装置１００に保管された場合、この保管された読影レポートが属する検査が対象検査に指定される。また、ユーザにより操作部２３を介して対象検査が選択されてもよい。この場合、例えば、検査情報記憶部１１に記憶され、表示部２５に表示されている検査情報の一覧から、ユーザにより操作部２３を介して指定される。
【００２５】
対象検査が指定されると制御部２７は、検査情報抽出部１３に検査情報の抽出処理を行わせる（ステップＳＡ２）。ステップＳＡ２において検査情報抽出部１３は、ステップＳＡ１において指定された対象検査に関する検査情報を検査情報記憶部１１から抽出する。ステップＳＡ２において抽出される検査情報は、検査画像、読影レポート、電子カルテのうちの、診療ステータスを表現する文字列が含まれる検査情報である。典型的には、ステップＳＡ２において読影レポートと電子カルテとが抽出される。
【００２６】
ステップＳＡ２が行われると制御部２７は、文字抽出部１７に文字列の抽出処理を行わせる（ステップＳＡ３）。ステップＳＡ３において文字抽出部１７は、ステップＳＡ２において抽出された読影レポートと電子カルテとから文字列を抽出する。上述のように、抽出される文字列の候補は、ステータス／文字列テーブルに登録されている文字列である。
【００２７】
ステップＳＡ３が行われると制御部２７は、ステータス特定部１９に特定処理を行わせる（ステップＳＡ４）。ステップＳＡ４においてステータス特定部１９は、ステップＳＡ３において抽出された文字列を検索キーとしてステータス／文字列テーブルを検索し、この検索キーに関連付けられた診療ステータスを特定する。
【００２８】
以下、ステップＳＡ３及びＳＡ４の処理を、図６を参照しながら具体的に説明する。図６は、３つの検査に関する検査情報の一例を示す図である。なお、検査目的は電子カルテに設けられている項目であり、「Ｉｍｐｒｅｓｓｉｏｎ」は読影レポートに設けられている項目である。図６に示すように、検査Ａに関する検査目的には、診療ステータスを特定するための文字列が含まれていない。検査Ａに関する読影レポートの所見欄には、「初回ＣＴ検査で・・・」という記載がある。この中の文字列「初回」は、図４に示すように、ステータス／文字列テーブルに登録されている。従って、文字抽出部１７により「初回ＣＴ検査で・・・」の中の文字列「初回」が抽出される。そしてステータス特定部１９により、文字列「初回」からステータス／文字列テーブルを利用して診療ステータス「初回」が特定される。
【００２９】
同様に、検査Ｂに関する検査目的には、「鑑別診断」という記載がある。この文字列「鑑別診断」は、図４に示すように、ステータス／文字列テーブルに登録されている。従って、文字抽出部１７により文字列「鑑別診断」が抽出される。そしてステータス特定部１９により、文字列「鑑別診断」からステータス／文字列テーブルを利用して診療ステータス「治療前」が特定される。また、検査Ｂに関する読影レポートの所見欄には、「紹介」という記載がある。この文字列「紹介」は、図４に示すように、ステータス／文字列テーブルに登録されている。従って、文字抽出部１７により文字列「紹介」が抽出される。そしてステータス特定部１９により、文字列「紹介」からステータス／文字列テーブルを利用して診療ステータス「紹介」が特定される。
【００３０】
同様に検査Ｃにおいては検査目的から文字列「フォローアップ」、所見欄から文字列「治療後」が抽出され、診療ステータス「経過観察」や「治療後」が特定される・
このように検査Ｂや検査Ｃにおいては、一の検査について複数の診療ステータスが特定される。この場合、複数の診療ステータスが一の検査に登録されてもよい。また、ステータス特定部１９は、各診療ステータスの優先度を予め設定しておき、優先度に従って複数の診療ステータスから一つの診療ステータスを限定してもよい。例えば、複数の診療ステータスのうちの一番優先度の高い診療ステータスに限定するとよい。
【００３１】
ある患者の複数の検査について同一の診療ステータスが特定される場合がある。例えば、患者Ａに図６の検査Ａのような検査が２つ存在する場合を考える。この場合、それぞれの検査について診療ステータス「初回」が特定される。診療ステータス「初回」は、患者Ａにとって検査が初めてであることを示している。従って、診療ステータス「初回」に関する検査が２つあることは望ましくない。この場合、ステータス特定部１９は、ステータス／文字列テーブルだけでなく、さらに検査日をも考慮して診療ステータスを特定するとよい。例えば、検査Ａの検査日が検査Ｂの検査日よりも古く、検査Ａと検査Ｂとの両方の診療ステータスが「初回」であるとする。この場合、ステータス特定部１９は、検査Ａの診療ステータスを「初回」とし、検査Ｂの診療ステータスを「初回」以外に設定するとよい。また、ステータス特定部１９は、一の患者について、検査日が最も古い検査に診療ステータス「初回」を設定するというルールを設けても良い。この場合、最古の検査についての文字抽出部１７による文字列抽出処理を省略してもよい。
【００３２】
ステップＳＡ４が行われると制御部２７は、テーブル生成部２１に生成処理を行わせる（ステップＳＡ５）。ステップＳＡ５においてテーブル生成部２１は、ステップＳＡ１において指定された対象検査の検査ＩＤとステップＳＡ４において特定された診療ステータスとを関連付けた検査情報テーブルを生成する。生成された検査情報テーブルは、検査情報記憶部１１に保持される。検査情報記憶部１１は、検査情報テーブルに従って対象検査の検査ＩＤとその診療ステータスとを関連付けて記憶する。検査情報テーブルは、ユーザからの指示に従って表示部２５により表示されてもよい。この場合、表示部２５は、検査情報テーブルの全てのレコードについて表示する必要は無く、ユーザにより指定された検索条件に合致するレコードのみを表示すればよい。
【００３３】
図７は、検査情報テーブルの一例を示す図である。図７に示すように、検査情報テーブルは、検査ＩＤ、診療ステータス、患者ＩＤ、レポートＩＤ、検査日、画像ＩＤ、モダリティの項目を有している。図７に示すように、検査情報テーブルにおいて、検査と診療ステータスとが関連付けられている。従ってユーザは、検査情報テーブルを参照することにより、読影レポートや電子カルテ等を参照し直すことなく、検査の診療ステータスを容易に把握することができる。
【００３４】
（実施例２）
実施例２に係る医療情報システムは、各検査に関する疾患名等に従って検査間の医学的な関連性を特定する。以下、実施例２に係る医療情報システムについて説明する。なお以下の説明において、実施例１と略同一の機能を有する構成要素については、同一符号を付し、必要な場合にのみ重複説明する。
【００３５】
図８は、実施例２に係る医療情報システム１の機能ブロックを示す図である。図８に示すように、実施例２に係る医療情報システム１は、検査情報記憶部１１、検査情報抽出部１３、ステータス／文字列記憶部１５、文字抽出部１７、ステータス特定部１９、テーブル生成部２１、操作部２３、表示部２５、及び制御部２７に加え、さらに疾患名／文字列記憶部２８、疾患名特定部２９、関連性ファイル記憶部３０、及び関連検査特定部３１を有している。
【００３６】
疾患名／文字列記憶部２８は、複数の疾患名の各々に疾患名を表現する文字列を関連付けて記憶している。疾患名を表現する文字列と疾患名とは、テーブルに関連付けられている。以下、このテーブルを疾患名／文字列テーブルと呼び、疾患名を表現する文字列を疾患名文字列と呼ぶことにする。疾患名／文字列テーブルは、疾患名／文字列記憶部２８に保持されている。
【００３７】
図９は、疾患名／文字列テーブルの一例を示す図である。図９に示すように、疾患名／文字列テーブルは、文字列ＩＤ、文字列、及び疾患名の項目を有している。疾患名は、診断名と同義である。診断名としては、例えば、扁平上皮癌、腺癌、肺炎等がある。文字列は、疾患名文字列である。疾患名「扁平上皮癌」に対応する疾患名文字列としては、例えば、「ＨＣＣ」や「扁平上皮癌」がある。診療ステータス「腺癌」に対応する疾患名文字列としては、例えば、「腺癌」がある。診療ステータス「肺炎」に対応する疾患名文字列としては、例えば、「腺癌」や「間質性肺炎」がある。文字列ＩＤは、互いに関連する疾患名文字列と疾患名とのセットに割り振られたＩＤである。
【００３８】
実施例２において文字抽出部１７は、読影レポートや電子カルテ等の検査情報から、疾患名文字列を抽出する。第２実施例の場合、複数の検査の検査情報が抽出対象に設定される。ここで、検査間の関連性を特定するうえでの、基準となる検査を対象検査と呼び、対象検査との関連性が調査される検査を比較検査と呼ぶことにする。文字抽出部１７は、対象検査に関する検査情報と比較検査に関する検査情報とからそれぞれ疾患名文字列を抽出する。
【００３９】
疾患名特定部２９は、文字抽出部１７により抽出された疾患名文字列に疾患名／文字列テーブル上で関連付けられた疾患名を特定する。特定された疾患名は、テーブル生成部２１により、検査情報テーブルにおいて検査ＩＤと診療ステータスとに関連付けられる。検査ＩＤと診療ステータスと疾患名とは、互いに関連付けて検査情報記憶部１１に記憶される。
【００４０】
関連性ファイル記憶部３０は、疾患名の関連性をオントロジー（ontology）的に記述したファイル（以下、関連性ファイルと呼ぶ）を記憶している。関連性ファイルの形式としては、様々なものが利用可能である。例えば、ＸＭＬ（extensible markup language）形式やＲＤＢ（relational database）形式が利用可能である。
【００４１】
図１０は、ＸＭＬ形式で記述された関連性ファイルの一例を示す模式図である。図１０に示すように、ＸＭＬ形式の関連性ファイルは、疾患名を病理学的分類に従って樹枝状に記述している。例えば、最上層には、用語「疾患」が記述されている。用語「疾患」の１階層下には、用語「癌」が関連付けられ、用語「癌」の１階層下には、用語「肺癌」が関連付けられ、用語「肺癌」の１階層下には、用語「扁平上皮癌」と用語「腺癌」とが関連付けられている。
【００４２】
図１１は、ＲＤＢ形式で記述された関連性ファイルの一例を示す図である。図１１に示すように、ＲＤＢ形式の関連性ファイルは、疾患ＩＤ、用語、親ＩＤ、子ＩＤ、類語の項目を有している。疾患ＩＤは、疾患の識別情報である。用語は、疾患名文字列である。親ＩＤは、用語が表現する疾患の上位概念の疾患の疾患ＩＤである。子ＩＤは、用語が表現する疾患の下位概念の疾患の疾患ＩＤである。類語は、用語を他の表現で言い換えた文字列である。例えば、用語「肺癌」の病理学的な上位概念は「癌」であり、用語「肺癌」の病理学的な下位概念は「扁平上皮癌」や「腺癌」である。従って用語「肺癌」の親ＩＤには「２」が登録され、子ＩＤには「３」と「４」とが登録されている。
【００４３】
関連検査特定部３１は、関連性ファイルを利用して、対象検査に関する疾患名文字列と比較検査に関する疾患名文字列とから、比較検査が基準検査に医学的に関連しているか否かを判定する。対象検査に医学的に関連している検査を、関連検査と呼ぶことにする。換言すれば、関連検査特定部３１は、基準検査に医学的に関連している関連検査を特定する機能を有している。
【００４４】
ＸＭＬ形式の関連性ファイルを利用する場合、関連検査特定部３１は、基準検査の疾患と比較検査の疾患とが関連性ファイル上において既定距離内にあるか否かを判定する。既定距離は、例えば、関連性ファイルの樹枝図上における、基準検査の疾患から比較検査までに介在する疾患の数により規定される。既定距離は、ユーザにより操作部２３を介して任意に設定可能である。例えば、既定距離が２の場合、基準検査の疾患から２つ分上位階層又は下位階層に属する疾患と、基準検査の疾患と同階層に属する疾患とが、基準検査の疾患と関連している。既定距離内にある場合、比較検査が基準検査に関連する関連検査であると判断される。既定距離内にない場合、比較検査が関連検査でないと判断される。
【００４５】
ＲＤＢ形式の関連性ファイルを利用する場合、関連検査特定部３１は、基準検査の疾患の疾患ＩＤを検索キーとして関連性ファイルを検索し、関連性ファイル上で関連付けられた関連検査の検査ＩＤを特定する。特定された検査ＩＤが、基準検査に関連する関連検査の検査ＩＤである。検査ＩＤが特定されなかった場合、基準検査に関連する関連検査がないと判断される。関連検査は関連性ファイル上で基準検査に直接的に関連付けられている検査のみに限定されず、間接的に関連付けられている検査を関連検査と判断してもよい。なお、直接的に関連付けられている検査とは、関連性ファイルにおいて基準検査が属するレコードに記載されている検査を意味する。間接的に関連付けられている検査とは、関連性ファイルにおいて複数の検査を介して基準検査に関連付けられている検査を意味する。
【００４６】
テーブル生成部２１は、検査情報テーブルにおいて、さらに対象検査の検査ＩＤと関連性特定部３１により特定された関連検査の検査ＩＤとを関連付ける。この検査情報テーブルは、検査情報記憶部１１に記憶される。
【００４７】
制御部２７は、基準検査と関連検査とを関連付けた検査情報テーブル生成のための情報処理プログラムをメモリに記憶している。制御部２７は、操作部２３を介した開始指示を受けて情報処理プログラムを読み出し、読み出された情報処理プログラムに従って各部を制御し、この検査情報テーブル生成のための各種処理を実行する。
【００４８】
以下に実施例２に係る医療情報システムの動作例について説明する。図１２は、実施例２に係る制御部２７の制御により行われる、検査情報テーブル生成のための情報処理の典型的な流れを示す図である。
【００４９】
図１２に示すように、制御部２７は、対象検査と比較検査とが選択されることを待機している（ステップＳＢ１）。典型的には、読影レポートがサーバ装置１００に保管された場合、この保管された読影レポートが属する検査が対象検査に指定される。また、ユーザにより操作部２３を介して対象検査が選択されてもよい。比較検査は、検査情報記憶部１１に記憶され、表示部２５に表示されている検査情報の一覧から、ユーザにより操作部２３を介して又は自動的に指定される。比較検査は、一つに限らず複数選択されてもよい。なお、対象検査についても、検査情報記憶部１１に記憶され、表示部２５に表示されている検査情報の一覧から、ユーザにより操作部２３を介して指定されてもよい。
【００５０】
対象検査と比較検査とが選択されると制御部２７は、検査情報抽出部１３に検査情報の抽出処理を行わせる（ステップＳＢ２）。ステップＳＢ２において検査情報抽出部１３は、ステップＳＢ１において選択された対象検査と比較検査とに関する検査情報を抽出する。ステップＳＢ２において抽出される検査情報は、検査画像、読影レポート、電子カルテのうちの、疾患名を表現する文字列が含まれる検査情報である。典型的には、読影レポートと電子カルテとが抽出される。
【００５１】
ステップＳＢ２が行われると制御部２７は、文字抽出部１７に文字列の抽出処理を行わせる（ステップＳＢ３）。ステップＳＢ３において文字抽出部１７は、ステップＳＢ２において抽出された読影レポートや電子カルテから疾患名文字列を抽出する。上述のように、抽出される文字列の候補は、関連性ファイルに疾患名として登録されている文字列である。
【００５２】
ステップＳＢ３が行われると制御部２７は、疾患名特定部２９に疾患名特定処理を行わせる（ステップＳＢ４）。ステップＳ４において疾患名特定部２９は、ステップＳＢ３において対象検査の疾患名文字列から疾患名／文字列テーブルを利用して疾患名を特定し、ステップＳＢ３において比較検査の疾患名文字列から疾患名／文字列テーブルを利用して疾患名を特定する。
【００５３】
対象検査の疾患名は、テーブル生成部２１により、検査情報テーブルにおいて検査ＩＤと診療ステータスとに関連付けられる。対象検査の検査ＩＤと診療ステータスと疾患名とは、互いに関連付けて検査情報記憶部１１に記憶される。また、比較検査の疾患名は、テーブル生成部２１により、検査情報テーブルにおいて検査ＩＤと診療ステータスとに関連付けられる。比較検査の検査ＩＤと診療ステータスと疾患名とは、互いに関連付けて検査情報記憶部１１に記憶される。
【００５４】
ステップＳ４が行われると制御部２７は、関連検査特定部３１に特定処理を行わせる（ステップＳＢ５）。ステップＳＢ５において関連検査特定部３１は、対象検査の疾患名文字列と比較検査の疾患名文字列とから、関連性ファイルを利用して、比較検査が対象検査に関連する関連検査であるか否かを判定する。
【００５５】
以下、ステップＳＢ５の処理を、図１３を参照しながら具体的に説明する。図１３は、３つの検査に関する検査情報の一例を示す図である。検査Ｂに関する読影レポートのＩｍｐｅｓｓｉｏｎ欄には、「扁平上皮癌」という記載があり、検査Ｃに関する読影レポートの所見欄には、「肺癌」という記載がある。これら２つの用語は、図１３に示すように、関連性ファイルに登録されている。従って文字抽出部１７により検査Ｂに関する読影レポートから用語「扁平上皮癌」が、検査Ｃに関する読影レポートから用語「肺癌」が抽出される。図１０及び図１１の関連性ファイルに示すように、「扁平上皮癌」と「肺癌」とは、病理学的に関連している。より詳細には、「扁平上皮癌」は、病理学的な概念として「肺癌」に内包されている。ここで検査Ｂが対象検査であり、検査Ｃが比較検査であるとする。この場合、関連性特定部３１は、ＸＭＬ形式の関連性ファイルやＲＤＢ形式の関連性ファイルを利用して「扁平上皮癌」と「肺癌」とが関連している、すなわち、検査Ｃが検査Ｂの関連検査であると判定する。比較検査が基準検査の関連検査であると判定された場合、ステップＳＢ６に進む。比較検査が基準検査の関連検査でないと判定された場合、ステップＳＢ６を行わずに情報処理が終了する。
【００５６】
ステップＳＢ５において比較検査が関連検査であると判定されると制御部２７は、テーブル生成部２１に生成処理を行わせる（ステップＳＢ６）。ステップＳＢ６においてテーブル生成部２１は、検査情報テーブルにおいて、対象検査の検査ＩＤと関連検査の検査ＩＤとを関連付ける。ステップＳＢ５において比較検査が関連検査でないと判定された場合、検査情報テーブルに変更は加えられない。検査情報テーブルは、ユーザからの指示に従って表示部２５により表示されてもよい。この場合、表示部２５は、検査情報テーブルの全てのレコードを表示する必要は無く、ユーザにより指定された検索条件に合致するレコードのみを表示すればよい。
【００５７】
図１４は、実施例２に係る検査情報テーブルの一例を示す図である。図１４に示すように、検査情報テーブルは、検査ＩＤ、診療ステータス、患者ＩＤ、レポートＩＤ、検査日、画像ＩＤ、モダリティの項目に加え、関連検査ＩＤの項目と疾患名の項目とを有している。関連検査ＩＤは、検査ＩＤに対応する検査に医学的に関連している関連検査の検査ＩＤである。「Ｎ／Ａ」は、空（Ｎｕｌｌ）を意味する。疾患名は、検査ＩＤに対応する検査の疾患の名称である。図１４に示すように、検査情報テーブルにおいて、検査と診療ステータスと関連検査とが関連付けられている。従ってユーザは、読影レポートや電子カルテ等を参照し直すことなく、検査間の関連性を容易に把握することができる。
【００５８】
（実施例３）
実施例３に係る医療情報システムは、診療ステータスや検査の関連性をユーザが明瞭に把握可能なレイアウトで検査情報を表示する。以下、実施例３に係る医療情報システムについて説明する。なお以下の説明において、実施例１及び実施例２と略同一の機能を有する構成要素については、同一符号を付し、必要な場合にのみ重複説明する。
【００５９】
図１５は、実施例３に係る医療情報システム１の機能ブロックを示す図である。図１５に示すように、実施例３に係る医療情報システム１は、検査情報記憶部１１、検査情報抽出部１３、ステータス／文字列記憶部１５、文字抽出部１７、ステータス特定部１９、テーブル生成部２１、操作部２３、表示部２５、制御部２７、疾患名／文字列記憶部２８、疾患名特定部２９、関連性ファイル記憶部３０、及び関連検査特定部３１に加え、検査マップ生成部３３、レイアウトテーブル記憶部３５、レイアウト特定部３７をさらに有している。
【００６０】
検査マップ生成部３３は、複数の検査のアイコン（以下、検査アイコンと呼ぶ）が診療ステータスに従って配列されたマップ（以下、検査マップと呼ぶ）を生成する。検査アイコンとしては、検査の内容を視覚的に認識可能な画像が利用される。例えば、検査アイコンとしては、検査画像のサムネイル、読影レポートのサムネイル、電子カルテのサムネイル、付帯情報（検査ＩＤ等）の文字情報等が挙げられる。検査マップは、表示対象の複数の検査間の検査関連性を認識可能に表示部により表示される。検査関連性は、検査アイコン同士を結ぶ線または視覚的区別により認識可能に表示される。
【００６１】
レイアウトテーブル記憶部３５は、複数の表示レイアウトの各々に診療ステータスと表示情報の種類とを関連付けて記憶する。典型的には、レイアウトテーブル記憶部３５は、複数の表示レイアウトの各々に診療ステータスと表示情報の種類とを関連付けたテーブル（以下、レイアウトテーブルと呼ぶ）を保持している。表示レイアウトは、表示対象の検査情報の表示位置を意味する。表示位置は、表示画面上の絶対位置又は他の表示情報からの相対位置により規定される。表示位置の定義の違いに応じてレイアウトテーブルが異なる。表示情報の種類は、検査情報に含まれる検査画像、読影レポート、又は電子カルテなどである。
【００６２】
図１６は、絶対位置により表示位置が規定されるレイアウトテーブルの一例を示す図である。図１６に示すように、このレイアウトテーブルは、レイアウトＩＤ、診療ステータス、画面位置、アプリケーション（表示情報の種類）の項目を有している。診療ステータスは、対象検査の診療ステータスである。画面位置は、「左上」、「右上」、「下」、「左から１番目」、「左から２番目」等の表示画面上の表示位置である。アプリケーションは、表示対象の検査情報の種類である。表示対象の検査情報の種類としては、検査画像、読影レポート、電子カルテが挙げられる。例えば、レイアウトＩＤが２で表示情報が検査画像の場合、診療ステータス「初回」の検査画像が表示画面上（又はアプリケーションウィンドウ上）の左下に表示され、診療ステータス「治療計画」の検査画像が表示画面上（又はアプリケーションウィンドウ上）の右上に表示される。
【００６３】
図１７は、相対位置により表示位置が規定されるレイアウトテーブルの一例を示す図である。図１７に示すように、このレイアウトテーブルは、レイアウトＩＤ、診療ステータス、画面位置、アプリケーション（表示情報の種類）、基準診療ステータスの項目を有している。画面位置には、「左上」、「右上」、「下」、「右」、「左」等の、基準検査の検査情報からの相対位置が記載される。基準検査とは、対象検査とともに表示される検査である。基準診療ステータスの項目には、「Ｎ／Ａ」、「初回」、「治療計画」等の、基準検査の診療ステータスが記載される。例えば、レイアウトＩＤが５の場合、診療ステータス「治療計画」の読影レポートが診療ステータス「初回」の読影レポートの右に表示される。
【００６４】
レイアウト特定部３７は、レイアウトテーブルを利用して、検査情報の表示レイアウトを特定する。具体的には、絶対位置により表示位置が規定される表示レイアウトの場合、レイアウト特定部３７は、対象検査の診療ステータスと表示情報の種類とを検索キーとしてレイアウトテーブルを検索し、検索キーに関連付けられた表示位置を特定する。相対位置により表示位置が規定されるレイアウトの場合、レイアウト特定部３７は、対象検査の診療ステータスと表示情報の種類と基準検査の診療ステータスとを検索キーとしてレイアウトテーブルを検索し、検索キーに関連付けられた表示位置を特定する。
【００６５】
制御部２７は、検査情報表示のための情報処理プログラムをメモリに記憶している。制御部２７は、操作部２３を介した開始指示を受けて情報処理プログラムを読み出し、読み出された情報処理プログラムに従って各部を制御し、この検査情報表示のための各種処理を実行する。
【００６６】
以下、実施例３に係る医療情報システムの動作例を説明する。まずは検査マップの生成処理について説明する。図１８は、検査マップＭＰの一表示例を示す図である。図１８に示すように、検査マップＭＰは、診療ステータスに従って配列された複数の検査アイコンＩ（Ｉ１、Ｉ２、Ｉ３、Ｉ４、Ｉ５、Ｉ６、及びＩ７）を有している。検査マップＭＰは、例えば、一人の患者について生成される。検査マップＭＰの生成対象の患者は、ユーザにより操作部２３を介して指定される。検査マップ生成部３３は、指定された患者に関する複数の検査に従って単一の検査マップを生成する。検査マップの生成対象となる検査は、指定された患者に関する全ての検査であっても、ユーザにより操作部２３を介して指定された検査であってもよい。
【００６７】
まず検査マップ生成部３３は、検査情報記憶部１１に記憶されている検査情報テーブルを参照し、複数の対象検査の各々について診療ステータスを特定する。そして検査マップ生成部３３は、複数の検査にそれぞれ対応する複数の検査アイコンを診療ステータスの順番に従って配列することにより検査マップＭＰを生成する。
【００６８】
検査マップＭＰは、表示部２５により表示される。複数の検査間の検査関連性を特定するために、表示部２５は、検査情報記憶部１１に記憶されている検査情報テーブルを参照する。表示部２５は、対象検査の検査アイコンと関連検査の検査アイコンとの間の関連性を認識可能に表示する。具体的には、表示部２５は、検査関連性を有する複数の検査にそれぞれ対応する複数の検査アイコンを、検査関連性に従って矢印等の線で結ぶ。
【００６９】
例えば、図１４のＩＤ４の検査とその関連検査とに基づく検査マップの生成要求が操作部２３を介してなされた場合、ＩＤ２の検査とＩＤ１の検査とがＩＤ５の関連検査として特定される。検査関連性を有する複数の検査にそれぞれ対応する複数の検査アイコンは、矢印等の線により結ばれる。矢尻は、２つの検査のうちの、時間的に後の検査の検査アイコンに向けられる。
【００７０】
例えば、図１８に示すように、検査アイコンＩ１に対応する検査の診療ステータスは「紹介」であり、検査アイコンＩ３に対応する検査の診療ステータスは「術前」であり、検査アイコンＩ４に対応する検査の診療ステータスは「術後」であり、検査アイコンＩ２，Ｉ５に対応する検査の診療ステータスは「Ｎ／Ａ」であり、検査アイコンＩ６，Ｉ７に対応する検査の診療ステータスは「術後」である。例えば、検査アイコンＩ１に対応する検査と検査アイコンＩ２に対応する検査とが関連している場合、検査アイコンＩ１と検査アイコンＩ２とが矢印で結ばれる。検査アイコンＩ５に対応する検査と検査アイコンＩ６に対応する検査とが関連していない場合、検査アイコンＩ５と検査アイコンＩ６とが矢印で結ばれない。
【００７１】
なお、検査関連性の把握を容易にするため、検査マップ生成部３３は、関連している検査の検査アイコンを同一の行に配置し、関連していない検査の検査アイコンを同一の行に配置せず、別々の行に配置すると良い。
【００７２】
また、検査マップ生成部３３は、診断ステータスだけでなく、医用画像撮影装置の種類（モダリティの種類）等の他の検査情報をさらに考慮して検査アイコンを配列してもよい。この場合、複数の検査アイコンは、モダリティの種類別に検査マップＭＰにおいて配列される。例えば、図１８の場合、検査マップＭＰの上部領域は、ＣＴ装置による検査の検査アイコンのための領域に設定され、検査マップＭＰの下部領域は、ＭＲ装置による検査の検査アイコンのための領域に設定される。この考慮される情報は、医用画像処理装置に限定されない。他の例としては、例えば、疾患名等が挙げられる。
【００７３】
図１９は、疾患名が考慮された検査マップＭＰ２の一表示例を示す図である。図１９に示すように、検査マップＭＰ２は、疾患名に応じて検査アイコンＩ１〜Ｉ６の配置位置が分類されている。疾患名としては、肺癌や肺炎等のあらゆる疾患の名称を用いることが可能である。例えば、検査アイコンＩ１〜Ｉ６は、肺癌と肺炎とにより分割される。検査アイコンＩ１〜Ｉ４は、疾患名「肺癌」に属し、検査アイコンＩ５及びＩ６は、疾患名「肺炎」に属する。
【００７４】
また、検査マップ生成部３３は、検査の流れの把握に有益な情報を検査マップに配置しても良い。例えば、図１８及び図１９に示すように、診療ステータス「術前」と「術後」とが含まれる場合、「術前」の検査アイコンＩ３と「術後」の検査アイコンＩ４との間に「肺癌手術」等の術名を配置するとよい。
【００７５】
このように、検査マップには、ある患者に関する複数の検査の診療ステータスや関連性に従って検査アイコンが配列される。従ってユーザは、検査マップを観察するだけで、一目瞭然に複数の検査の診療ステータスや関連性を把握することができる。
【００７６】
なお、検査間の検査関連性の表示態様は、検査アイコン間を結ぶ線のみに限定されない。他の方法として表示部２５は、検査関連性を有する複数の検査にそれぞれ対応する複数の検査アイコンと、他の検査アイコンとを視覚的に区別して表示しても良い。
【００７７】
図２０は、検査マップの他の表示方法を説明するための図である。図２０に示すように、検査マップＭＰ３には、検査関連性を示す矢印が表示されていない。ユーザは、関連検査を知りたい検査に対応する検査アイコンを、検査マップＭＰ３に表示されている複数の検査アイコンの中から操作部２３を介して指定する。例えば、検査アイコンＩ４が指定されたとする。なお、検査アイコンＩ４に対応する検査は、図１８と同様に、検査アイコンＩ３に対応する検査と検査アイコンＩ６に対応する検査とに関連しているものとする。表示部２５は、指定された検査アイコンＩ４が指定された場合、検査アイコンＩ４、検査アイコンＩ３、及び検査アイコンＩ６を、他の検査アイコン（すなわち、検査アイコンＩ１、検査アイコンＩ５、及び検査アイコンＩ７）と異なる色で表示する。このように、表示部２５は、検査関連性を有する検査アイコンを他の検査アイコンと区別して表示する。なお、区別の仕方は、色のみによらない。例えば、表示部２５は、検査関連性を有する検査アイコンを点滅させたり、枠で囲んだりしても良い。また、表示部２５は、他の検査アイコンにマスクをかけても良い。また、表示部２５は、指定された検査アイコンＩ４を検査アイコンＩ３及び検査アイコンＩ６に対して視覚的に区別して表示しても良い。
【００７８】
次に、検査情報の表示における医療情報システム１の動作例について説明する。
【００７９】
表示部２５により検査マップが表示されているとする。ユーザにより操作部２３を介して検査アイコンが選択された場合、表示部２５は、選択された検査アイコンに対応する検査の検査情報を表示する。この場合、選択された検査アイコンに対応する検査の関連検査の検査情報も表示されるとよい。検査情報の表示レイアウトは、表示レイアウト特定部３７により特定される。表示される検査情報の種類は、ユーザにより操作部２３を介して任意に指定可能である。また、検査アイコンの種類に対応する検査情報を表示してもよい。例えば、検査画像のサムネイルが検査アイコンに設定されている場合、検査画像が表示される。同様に、読影レポートのサムネイルが検査アイコンに設定されている場合、読影レポートが表示され、電子カルテのサムネイルが検査アイコンに設定されている場合、電子カルテが表示される。
【００８０】
例えば、図１８のいずれかの検査アイコンが指定されたとし、表示される検査情報の種類は検査画像であるとする。また、図１６に示す絶対位置により表示位置が既定されたレイアウトテーブルが利用されるものとする。この場合、レイアウト特定部３７は、指定された検査アイコンに対応する検査の診療ステータスと表示情報「検査画像」とを検索キーとして表示レイアウトテーブルを検索し、この検索キーにレイアウトテーブル上で関連付けられた表示位置を特定する。表示部２５は、特定された表示位置に、指定された検査アイコンに対応する検査の検査画像を表示する。また、レイアウト特定部３７は、指定された検査アイコンに対応する検査の関連検査を、例えば、検査情報テーブルを利用して特定する。そしてレイアウト特定部３７は、特定された関連検査と表示情報「検査画像」とを検索キーとしてレイアウトテーブルを検索し、この検索キーにレイアウトテーブル上で関連付けられた表示位置を特定する。表示部２５は、特定された表示位置に、関連検査の検査画像を表示する。
【００８１】
次に、図１７に示す相対位置により表示位置が規定されたレイアウトテーブルが利用して表示レイアウトを特定する例を説明する。なお、例えば、図１８のいずれかの検査アイコンが指定され、表示対象の検査情報の種類は検査画像であるとする。この場合、レイアウト特定部３７は、指定された検査アイコンに対応する検査の関連検査を、例えば、検査情報テーブルを利用して特定する。指定された検査アイコンに対応する検査が対象検査に設定され、関連検査が基準検査に設定される。レイアウト特定部３７は、対象検査の診療ステータスと基準検査の診療ステータスと表示情報「検査画像」とを検索キーとしてレイアウトテーブルを検索し、この検索キーにレイアウトテーブル上で関連付けられた表示位置を特定する。表示部２５は、特定された表示位置に、対象検査の検査画像と基準検査の検査画像とを表示する。１番目の検査画像については、図１６のレイアウトテーブルを利用して表示位置が特定されてもよい。
【００８２】
図１８のＩＤ４の検査とその関連検査とに基づく検査マップの生成要求が操作部２３を介してなされた場合、図１４に示すように、ＩＤ２の検査とＩＤ１の検査とがＩＤ４の関連検査として特定される。次に例えば、図１６のレイアウトテーブルから、診療ステータス「初回」の検査画像の右側に診療ステータス「治療計画」の検査画像、診療ステータス「治療計画」の検査画像の右側に診療ステータス「治療後」の検査画像が表示される。すなわち、左から順番に診療ステータス「初回」の検査画像、診療ステータス「治療計画」の検査画像、診療ステータス「治療後」の検査画像が配置される。
【００８３】
図２２は、表示レイアウトの一例を示す図である。図１８に示すように、例えば、第１ディスプレイの左側には診療ステータス「初回」に関する検査画像ＩＭ１が表示され、右側には診療ステータス「治療計画」に関する検査画像ＩＭ２が表示される。また、第２ディスプレイには、診療ステータス「治療後」に関する検査画像ＩＭ３が表示される。このようにして表示部２５は、レイアウト特定部３７により特定された表示レイアウトで複数の検査情報を表示することができる。このように表示される検査情報は互いに関連しているものに限定され、且つ診療ステータスに応じた表示レイアウトが自動的に選択される。従って、ユーザは、検査情報の診療ステータスや関連性を容易に把握することができる。
【００８４】
なお、上述の例においては、検査アイコンを指定することにより、表示対象の検査が設定されるとした。しかしながら、本実施形態はこれに限定されない。例えば、表示対象の検査は、ユーザにより操作部２３を介して初期テーブルや検査情報テーブル上で指定されてもよい。
【００８５】
上記説明の通り、実施例１によれば、検査情報内の記述から検査の診療ステータスが自動的に特定され、検査ＩＤと診療ステータスとが関連付けられたテーブルが生成される。従って、検査を診療ステータスにより管理することができる。その結果、ユーザは、読影レポートや電子カルテを参照し直すことなく、検査の診療ステータスを容易に把握することができる。
【００８６】
実施例２によれば、検査情報内の記述から検査間の関連性が自動的に特定され、検査ＩＤと関連検査ＩＤとが関連付けられたテーブルが生成される。従って実施例２によれば、検査を診療ステータスさらには検査関連性で管理することができる。その結果、ユーザは、読影レポートや電子カルテを参照し直すことなく、検査の診療ステータス及び関連性を容易に把握することができる。
【００８７】
実施例３によれば、診療ステータスに従って検査アイコンが配列された検査マップが生成される。そして、検査間の検査関連性をユーザが認識可能に検査マップが表示される。ユーザは、検査の診療ステータス及び関連性を知りたい場合、読影レポートや電子カルテを参照し直すことなく、検査マップを観察することで、診療ステータス及び関連性を容易に把握することができる。また、検査情報を表示する場合、診療ステータスに応じた表示レイアウトが自動的に特定され、この表示レイアウトで複数の検査の検査情報が表示される。表示対象の検査情報は、互いに関連している検査の検査情報に限定される。従って、比較読影等の複数の検査の観察時における、画像選択等の労力を削減することができる。
【００８８】
かくして本実施形態によれば、検査の診療ステータスや関連性を容易に把握することが可能となる。
【００８９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００９０】
１…医療情報システム、１１…検査情報記憶部、１３…検査情報抽出部、１５…ステータス／文字列記憶部、１７…文字抽出部、１９…ステータス特定部、２１…テーブル生成部、２３…操作部、２５…表示部、２７…制御部、２８…疾患名／文字列記憶部、２９…疾患名特定部、３０…関連性ファイル記憶部、３１…関連検査特定部、３３…検査マップ生成部、３５…レイアウトテーブル記憶部、３７…レイアウト特定部、１００…サーバ装置、２００…クライアント装置、３００…電子カルテシステム、４００…医用画像撮影装置。
【図１】
0005897385.tif 000002
【図２】
0005897385.tif 000003
【図３】
0005897385.tif 000004
【図４】
0005897385.tif 000005
【図５】
0005897385.tif 000006
【図６】
0005897385.tif 000007
【図７】
0005897385.tif 000008
【図８】
0005897385.tif 000009
【図９】
0005897385.tif 000010
【図１０】
0005897385.tif 000011
【図１１】
0005897385.tif 000012
【図１２】
0005897385.tif 000013
【図１３】
0005897385.tif 000014
【図１４】
0005897385.tif 000015
【図１５】
0005897385.tif 000016
【図１６】
0005897385.tif 000017
【図１７】
0005897385.tif 000018
【図１８】
0005897385.tif 000019
【図１９】
0005897385.tif 000020
【図２０】
0005897385.tif 000021
【図２１】
0005897385.tif 000022
【図２２】
0005897385.tif 000023